(57)【要約】【課題】金属板の折り曲げの際に欠陥や不都合のある個所の状態に応じて、ダイの高さを簡単、容易に、かつ、正確に安定的に調整して金属板の折り曲げ精度を出す。【解決手段】支持プレートを下部保持枠に固定し、この支持プレートの溝に楔プレートを摺動可能に配置するとともに、楔プレートの凹部に上部保持枠に取付けた回転ダイヤルの調整ネジを挿入し、この楔プレートの上に上部保持枠に固定した昇降プレートを上下動可能に配置し、回転ダイヤルの調整ネジを回転させて楔プレートを前後に摺動させ、昇降プレートを上下に移動させることによって、昇降プレートに搭載した金属板折り曲げ装置のダイを上下に移動させる脱着式金属板曲げ角度精度調整装置。【選択図】図３
2006224103.tif 000002
【特許請求の範囲】
【請求項１】
下面にテーパー面を形成した昇降プレートと、上面に逆テーパー面を形成するとともに側面に凹部を形成した楔プレートと、上面に溝を設けた支持プレートと、回転ダイヤルに設けた調整ネジを取付けた上部保持枠とより構成し、支持プレートを下部保持枠に固定し、この支持プレートの溝に楔プレートを摺動可能に配置するとともに、楔プレートの凹部に上部保持枠に取付けた回転ダイヤルの調整ネジを挿入し、この楔プレートの上に上部保持枠に固定した昇降プレートを上下動可能に配置し、回転ダイヤルの調整ネジを回転させて楔プレートを前後に摺動させ、昇降プレートを上下に移動させることによって、昇降プレートに搭載した金属板折り曲げ装置のダイを上下に移動させる脱着式金属板曲げ角度精度調整装置。
【請求項２】
昇降プレートに通穴を設けるとともに、この通穴内にリング状スプリングを挿填し、ボルトをリング状スプリングと通穴に挿入して、その先端を支持プレートに挿着することによって、金属板を折り曲げる際にダイにかかる過大な加重を軽減する請求項１記載の脱着式金属板曲げ角度精度調整装置。
【請求項３】
支持プレートの上面にガイド溝を形成して楔プレートの前後への摺動性を確実にする請求項１記載の脱着式金属板曲げ角度精度調整装置。
【発明の詳細な説明】
【技術分野】
【０００１】
本発明は、脱着が容易な金属板曲げ角度精度調整装置に関するもので、特に、金属板曲げ角度精度調整機構が内臓されていない金属板折り曲げ装置に簡単に脱着する金属板曲げ角度精度調整装置である。
【背景技術】
【０００２】
通常の金属板折り曲げ装置においては、図１に示すように、Ｖ字状のダイ１の上に金属板２を載せて、パンチ３を下降させて押圧力によって金属板２をＶ字状に折り曲げるが、この際、パンチ３の下降度合いが不十分であると、金属板２の曲げ角度は所期の角度にならず、曲げ角度が甘くなって不良製品になる欠点がある。
また、パンチ３の押圧力が金属板２に対して均等に加わりにくいこと、金属板２の厚さや材質が均一でないことによって、金属板２の折り曲げに、いわゆる、中ダレ、鞍反り、うねり等の不具合が発生して欠陥製品になる問題もある。
【０００３】
従来、前述した欠点や不具合への対応策としては、金属板折り曲げ装置に複雑な構造の金属板曲げ角度精度調整機構を一体的に内臓させたものがあるが、装置価格の高価格化や操作の煩雑化を招いており、また、簡便な対応策としては、欠点や不具合が発生する個所のダイの下に新聞紙等の介在物を挟んでダイの高さを調整することによって、金属板の曲げ角度を所期の角度にして曲げ角度の確りした製品を製造したり、金属板の折り曲げの際の中ダレ、鞍反り、うねり等を防止するように努力していた。
【０００４】
しかし、ダイの下に新聞紙等の介在物を挟んでダイの高さを正確に安定的に調整して金属板の折り曲げ精度を出すことは本来的に非常に難しく、調整する人の長年の勘と経験に頼ることになるために、誰でも簡単、容易に調整して折り曲げ精度を出せない問題があり、通常の場合、試行錯誤を繰り返して不良製品や欠陥製品を多数製造することになり製造コストが高くなる欠点がある。
【０００５】
また、ダイの下に新聞紙等の介在物を挟み込むについては、その都度、ダイを取り外さなければならず、折り曲げ作業効率が低下する問題もあり、その他にも新聞紙等の介在物は厚すぎて不良品を出したり、精密な調整はできなないという欠点があり、さらに何よりの欠点は新聞紙等の介在物が徐々に潰れて金属板の折り曲げの再現性に欠ける問題があった。
【発明の開示】
【発明が解決しようとする課題】
【０００６】
本発明の解決しようとする問題点は、金属板の折り曲げ装置のダイの下に、脱着ができる金属板曲げ角度精度調整装置を設置して、金属板の折り曲げの際に欠陥や不都合のある個所の状態に応じて、ダイの高さを簡単、容易に、かつ、正確に安定的に調整して金属板の折り曲げ精度を出すことにある。
【課題を解決するための手段】
【０００７】
本発明は、脱着式金属板曲げ角度精度調整装置に関するもので、下面にテーパー面を形成した昇降プレートと、上面にテーパー面を形成するとともに側面に凹部を形成した楔プレートと、上面に溝を設けた支持プレートと、調整ネジを設けた回転ダイヤルを取付けた保持枠とより構成し、支持プレートを保持枠に固定し、この支持プレートの溝に楔プレートを摺動可能に配置するとともに、楔プレートの凹部に保持枠に取付けた回転ダイヤルの調整ネジを挿入し、この楔プレートの上に昇降プレートを上下動可能に保持枠内に配置し、回転ダイヤルの調整ネジを回転させて楔プレートを前後に摺動させ、昇降プレートを上下に移動させることによって、昇降プレートに搭載した金属板折り曲げ装置のダイを上下に移動させることに最も主要な特徴がある。
【発明の効果】
【０００８】
金属板の折り曲げ装置のダイの下に、脱着可能な金属板曲げ角度精度調整装置を設置して、金属板の折り曲げの際の曲げ角度が甘くなる個所や中ダレ、鞍反り、うねり等が発生する個所のダイの個々の状態に対応して、ダイの高さを簡易、正確、安定的に調整して金属板の折り曲げ精度を確保して、高品質の金属板折り曲げ製品を製造コストを安価に作業効率良く製造することにある。
【発明を実施するための最良の形態】
【０００９】
金属板折り曲げ装置のＶ字状のダイ１の上に金属板２を載せて、パンチ３を下降させて押圧力によって金属板２をＶ字状に折り曲げる機構は前述した図１の場合と同じであり、本発明においては、Ｖ字状のダイ１の下に、調整ネジを設けた回転ダイヤル４を取付けた脱着式の金属板曲げ角度精度調整装置５を設置することに大きな特徴がある。
【実施例１】
【００１０】
図２は、本発明の金属板曲げ角度精度調整装置５の１実施例の平面断面図であって、６は上面に逆テーパー面７を形成するとともに側面に凹部８を形成し楔プレートであり、この楔プレート６の凹部８には上部保持枠９に取付けた回転ダイヤル１０の調整ネジ１１を挿入し、回転ダイヤル１０によって調整ネジ１１を回転させて楔プレート６が支持プレート１２上を前後に摺動するように構成し、１３は楔プレート６が前後に摺動する際に作用する押しバネである。
【００１１】
図３は、図２のＡ−Ａ線断面図であって、下部保持枠１４に固定した支持プレート１２の上に楔プレート６を配置し、この楔プレート６の凹部８に回転ダイヤル１０の調整ネジ１１を挿入し、調整ネジ１１を回転させて楔プレート６を摺動するように構成したことは前述したとおりであり、さらに、この楔プレート６の上面に形成した逆テーパー面７の上に、上部保持枠１５に固定した昇降プレート１６のテーパー面１７を配置し、楔プレート６の摺動によって昇降プレート１６が上下に移動するように構成する。
【００１２】
楔プレート６の凹部８に回転ダイヤル１０の調整ネジ１１を挿入し、調整ネジ１１を回転させて楔プレート６を摺動するようにした機構の設置個数は、ダイ２３の長さや幅、折り曲げる金属板の不具合の個所数、その他の金属板２の折り曲げ条件等によって適宜決定するが、通常の場合には３〜１０個程度設置するとよい。
【００１３】
図４は、図２のＢ−Ｂ線断面図であって、昇降プレート１６には通穴１８を設けるとともに、この通穴１８の途中に中空室１９を形成してリング状スプリング２０を挿填した後、ボルト２１をリング状スプリング２０と通穴１８に挿入して、その先端を支持プレート１２に設けたネジ２２に挿着することによって、金属板２を折り曲げる際にダイ２３にかかる過大な加重をリング状スプリング２０によって軽減するようにしてもよい。
【００１４】
支持プレート１２の上に楔プレート６を配置するについては、図５に示すように、支持プレート１２の上面にガイド溝２４を形成して楔プレート６の前後への摺動性を確実にしてもかまわない。
【００１５】
昇降プレート１６を上下に移動する機構は、図２と図３に示すように、ハンドル（図示せず）によって回転ダイヤル１０を右周りに回転させると、これと一体になっている調整ネジ１１も右周りに回転し、調整ネジ１１の先端は前方に移動して楔プレート６の凹部８をバネ１３の弾性に抗して押圧して楔プレート６を前方に摺動するために、楔プレート６の逆テーパー面７によって昇降プレート１６のテーパー面１７を持ち上げ、昇降プレート１６を上方に移動させることによってダイ２３を上方に上昇させた状態にし、また、回転ダイヤル１０を左周りに回転させると、調整ネジ１１も左周りに回転し、調整ネジ１１の先端は後方に移動して楔プレート６はバネ１３の弾性で押し戻されて後方に摺動するために、楔プレート６の逆テーパー面７によって昇降プレート１６のテーパー面１７を低下させ、昇降プレート１６を下方に移動させることによってダイ２３を下方に下降させた状態にする。
【００１６】
金属板２を折り曲げる際に、折り曲げる金属板２のある個所の折り曲げ状態に凹みや中ダレ等の不都合が生ずるおそれがある場合には、前述した操作で昇降プレート１６を上方に移動させ、ダイ２３を上方に上昇させた状態に維持して金属板２を折り曲げることによってこの不都合を防止すればよく、また、折り曲げる金属板２のある個所の折り曲げ状態が甘くなったり、中ダレ等の不都合が生ずるおそれがある場合には、前述した操作で昇降プレート１６を下方に移動させ、ダイ２３を下方に下降させた状態に維持して金属板２を折り曲げることによってこの不都合を防止すればよく、さらに、折り曲げる金属板２の全体の折り曲げ状態にうねり等の不都合が生ずるおそれがある場合には、この不都合に対応して、複数個の昇降プレート１６の各々を適宜上方あるいは下方に移動させて、ダイ２３を上昇あるいは下降させた状態に維持してこれらの不都合を防止すればよい。
【００１７】
昇降プレート１６の上下に移動する幅は、折り曲げる金属板の欠点、不具合を解消するために行なうダイの高さの調整幅より若干小さい幅とするが、通常の場合には−０．１〜−０．３ｍｍ程度にするとよく、また、昇降プレート１６の上下動は、楔プレート６の逆テーパー面７の角度と昇降プレート１６のテーパー面１７の角度と楔プレート６の摺動幅によって影響されるが、通常の場合にはテーパー角度は５〜１０度にし、楔プレート６の摺動幅は５〜１０ｍｍとするとよい。
【００１８】
昇降プレート１６の上下動を精密に行なうには、たとえば、回転ダイヤル１０を右回りに３６０度一回転させることによって、昇降プレート１６を上方に例えば０．１〜１０ｍｍ移動するようにするとともに、回転ダイヤル１０の回転角度に従って目盛りを設けるように設定して、折り曲げる金属板２の不都合に対応して回転ダイヤル１０の目盛りを適宜合わせ、昇降プレート１６を上方の適切な位置に移動させればよい。
【産業上の利用可能性】
【００１９】
本発明の着脱式金属板曲げ角度精度調整装置は、既に使用されている金属板の折り曲げ装置のダイの下に設置し、金属板の折り曲げの際に欠陥や不都合のある個所の状態に応じて、ダイの高さを簡単、容易に、かつ、正確に安定的に調整して金属板の折り曲げ精度を出すことによって、高品質の金属板折り曲げる製品を製造することが可能である。
また、本発明の着脱式金属板曲げ角度精度調整装置は狭幅長尺装置のレベル出しに使用して高精度な平坦度を調整、且つ長期間維持をする利点がある。
【図面の簡単な説明】
【００２０】
【図１】金属板折り曲げる装置のＶ字状のダイの下に着脱式金属板曲げ角度精度調整装置を設けた状態を示した説明図である。
【図２】着脱式金属板曲げ角度精度調整装置の平面断面図である。
【図３】図２のＡ−Ａ線断面図である。
【図４】図２のＢ−Ｂ線断面図である。
【図５】着脱式金属板曲げ角度精度調整装置の支持プレートにガイド溝を形成した状態を示した説明図である。
【符号の説明】
【００２１】
１    ダイ
２    金属板
３    パンチ
４    回転ダイヤル
５    着脱式金属板曲げ角度精度調整装置
６    楔プレート
７    逆テーパー面
８    凹部
９    上部保持枠
１０  目盛り
１１  調整ネジ
１２  支持プレート
１３  押しバネ
１４  下部保持枠
１５  取付穴
１６  昇降プレート
１７  テーパー面
１８  通穴
１９  中空室
２０  リング状スプリング
２１  ボルト
【図１】
2006224103.tif 000003
【図２】
2006224103.tif 000004
【図３】
2006224103.tif 000005
【図４】
2006224103.tif 000006
【図５】
2006224103.tif 000007